(57)【要約】【課題】  ビデオ電話機能を有する携帯電話機において、ビデオ電話時に相手先の映像を見易くする。【解決手段】  ビデオ電話機能を有する携帯電話機２は、無線で送信される相手先の映像信号を、アンテナ１６にて受信し、無線処理部１５にてストリームデータに変換し、ＡＶコーデック部１４にて復号化し、映像Ｉ／Ｆ部２０にてＮＴＳＣ映像信号に変換して、映像信号出力部２１からＴＶ受像機３に出力する。これにより、携帯電話機２に比べて表示画面が大きいＴＶ受像機３に相手先の映像を表示できるので相手先の映像が見易くなる。【選択図】  図１
2005151450.tif 000002
【特許請求の範囲】
【請求項１】
ビデオ電話機能を有する携帯端末であって、自端末の映像データおよび音声データを無線で送信するとともに、相手端末の映像データおよび音声データを無線で受信する携帯端末において、
上記自端末および／または相手端末の映像データを外部に出力する外部出力手段を備えることを特徴とする携帯端末。
【請求項２】
上記外部出力手段は、上記映像データを出力する出力先の表示装置に適した形式に上記映像データを変換することを特徴とする請求項１に記載の携帯端末。
【請求項３】
上記外部出力手段は、さらに、自端末および／または相手端末の音声データを外部に出力することを特徴とする請求項１に記載の携帯端末。
【請求項４】
上記外部出力手段は、上記音声データを出力する出力先の音声出力装置に適した形式に上記音声データを変換することを特徴とする請求項３に記載の携帯端末。
【請求項５】
撮影を行って上記自端末の映像データを作成する映像入力手段と、
映像データに基づいて映像を表示する映像表示手段と、
上記映像入力手段が作成した上記自端末の映像データと、上記相手端末の映像データと、上記自端末および上記相手端末の両方の映像データとの中から、上記外部出力手段が外部に出力する映像データと、上記映像表示手段が表示するための映像データとをそれぞれ選択する映像選択手段とをさらに備えることを特徴とする請求項１に記載の携帯端末。
【請求項６】
上記映像入力手段は、撮影を行う第１の撮影手段を備えており、
上記映像表示手段は、第１の撮影手段の撮影方向と同じ向きに映像を表示出力する第１の表示出力手段と、該撮影方向と反対向きに映像を表示出力する第２の表示出力手段とを備えており、
上記映像選択手段は、さらに、上記映像入力手段が作成した上記自端末の映像データと、上記相手端末の映像データと、上記自端末および上記相手端末の両方の映像データとの中から、第１の表示出力手段が表示するための映像データと、第２の表示出力手段が表示するための映像データとをそれぞれ選択することを特徴とする請求項５に記載の携帯端末。
【請求項７】
上記映像入力手段は、第１の撮影手段の撮影方向と反対向きに撮影を行う第２の撮影手段をさらに備えており、
上記映像選択手段は、第１の撮影手段が撮影を行う場合には、該撮影により上記映像入力手段が作成した上記自端末の映像データを、第２の表示出力手段が表示するための映像データとして選択する一方、第２の撮影手段が撮影を行う場合には、該撮影により上記映像入力手段が作成した上記自端末の映像データを、第１の表示出力手段が表示するための映像データとして選択することを特徴とする請求項６に記載の携帯端末。
【請求項８】
上記外部出力手段が映像データを出力する出力先の表示装置に対して、赤外線で信号を送信する赤外線送信手段と、
上記出力先の表示装置を制御する制御信号を上記赤外線送信手段が送信するように制御する赤外線送信制御手段とを備えることを特徴とする請求項１に記載の携帯端末。
【請求項９】
上記赤外線送信制御手段は、ビデオ電話を開始するときに、上記出力先の表示装置の電源をオンにする制御信号を上記赤外線送信手段が送信し、ビデオ電話を終了するときに、上記出力先の表示装置の電源をオフにする制御信号を上記赤外線送信手段が送信するように上記赤外線送信手段を制御することを特徴とする請求項８に記載の携帯端末。
【請求項１０】
上記赤外線送信制御手段は、ビデオ電話を開始するときに、上記出力先の表示装置の映像入力を上記外部出力手段からの映像入力に切り替える制御信号を上記赤外線送信手段が送信し、ビデオ電話を終了するときに、上記出力先の表示装置の映像入力を元の映像入力に切り替える制御信号を上記赤外線送信手段が送信するように上記赤外線送信手段を制御することを特徴とする請求項８に記載の携帯端末。
【請求項１１】
上記赤外線送信制御手段は、ビデオ電話要求の着信または発信があったときを、ビデオ電話を開始するときとすることを特徴とする請求項９または１０に記載の携帯端末。
【請求項１２】
利用者が各種の操作を行う操作手段をさらに備えており、
上記赤外線送信制御手段は、上記利用者が上記操作手段を介してビデオ電話の開始を指示する操作を行ったときを、ビデオ電話を開始するときとすることを特徴とする請求項９または１０に記載の携帯端末。
【請求項１３】
利用者が各種の操作を行う操作手段をさらに備えており、
上記赤外線送信制御手段は、上記利用者が上記操作手段を介してビデオ電話の終了を指示する操作を行ったときを、ビデオ電話を終了するときとすることを特徴とする請求項９または１０に記載の携帯端末。
【請求項１４】
上記赤外線送信制御手段による制御は、ビデオ電話を開始または終了するとき、自動的に行うか、或いは、その旨を利用者に報知して、利用者からの指示に基づいて行うかを設定する設定手段を備えることを特徴とする請求項９ないし１３の何れか１項に記載の携帯端末。
【請求項１５】
上記外部出力手段が出力先の表示装置との接続を検知する接続検知手段と、
該接続検知手段が接続を検知した場合にのみ上記外部出力手段が上記出力先の表示装置に出力するように制御する外部出力制御手段とを備えることを特徴とする請求項１に記載の携帯端末。
【請求項１６】
ビデオ電話機能を有する携帯端末であって、自端末の映像データおよび音声データを無線で送信するとともに、相手端末の映像データおよび音声データを無線で受信する携帯端末と、該携帯端末を収容するクレードルとを備えるビデオ電話システムにおいて、
上記携帯端末は、データをクレードルに送信する送信手段を備えており、
上記クレードルは、上記携帯端末から上記データを受信する受信手段と、
該受信手段が受信した上記自端末および／または相手端末の映像データを外部に出力する外部出力手段とを備えることを特徴とするビデオ電話システム。
【請求項１７】
ビデオ電話機能を有する携帯端末であって、自端末の映像データおよび音声データを無線で送信するとともに、相手端末の映像データおよび音声データを無線で受信する携帯端末において、
撮影を行って映像データを作成する映像入力手段と、
音声を音声データに変換する音声入力手段とを備えており、
上記映像入力手段は、撮影を行う第１および第２の撮影手段を備えており、第１および第２の撮影手段は、撮影方向が互いに反対向きとなるように設けられており、
上記音声入力手段は、音声を電気信号に変換する第１および第２のマイク手段を備えており、第１のマイク手段は、第１の撮影手段の撮影方向からの音声を主に入力するように設けられ、第２のマイク手段は、第２の撮影手段の撮影方向からの音声を主に入力するように設けられており、
第１の撮影手段および第１のマイク手段と、第２の撮影手段および第２のマイク手段との何れか一方から映像データおよび音声データを取得するように、上記映像入力手段および上記音声入力手段を制御する入力制御手段をさらに備えることを特徴とする携帯端末。
【請求項１８】
ビデオ電話機能を有する携帯端末であって、自端末の映像データおよび音声データを無線で送信するとともに、相手端末の映像データおよび音声データを無線で受信する携帯端末において、
撮影を行って映像データを作成する映像入力手段と、
映像データに基づいて映像を表示する映像表示手段とを備えており、
上記映像入力手段は、撮影を行う撮影手段を備えており、
上記映像表示手段は、該撮影手段の撮影方向と同じ向きに映像を表示出力する第１の表示出力手段と、該撮影方向と反対向きに映像を表示出力する第２の表示出力手段とを備えており、
上記撮影手段の撮影により上記映像入力手段が作成した上記自端末の映像データに基づく映像を第２の表示出力手段に表示出力するとともに、上記相手端末の映像データに基づく映像を第１の表示出力手段に表示出力するように上記映像表示手段を制御する表示制御手段をさらに備えることを特徴とする携帯端末。
【請求項１９】
第１の表示出力手段は、第２の表示出力手段に比べて、表示画面のサイズが大きいことを特徴とする請求項１８に記載の携帯端末。
【請求項２０】
携帯端末は、携帯電話機であることを特徴とする請求項１ないし１５および請求項１７ないし１９の中の何れか１項に記載の携帯端末。
【請求項２１】
請求項８ないし１４の何れか１項に記載の携帯端末を動作させるための制御プログラムであって、コンピュータを上記赤外線送信制御手段として機能させるための制御プログラム。
【請求項２２】
請求項２１に記載の制御プログラムが記録されたコンピュータ読取り可能な記録媒体。
【発明の詳細な説明】
【技術分野】
【０００１】
本発明は、携帯電話機に代表される携帯端末に関するものであり、特に、ビデオ電話機能を有する携帯端末、該携帯端末を利用したビデオ電話システム、該携帯端末の制御プログラム、および該プログラムを記録した記録媒体に関するものである。
【背景技術】
【０００２】
近時、第３世代の携帯電話サービスが普及しつつある。この第３世代の携帯電話サービスの中には、例えばＮＴＴドコモグループが実施している第３世代の携帯電話サービスであるＦＯＭＡ（登録商標）のように、ビデオ電話（テレビ電話）のサービスを実施しているものもある。
【０００３】
ビデオ電話は、音声と画像とを同時に送るマルチメディア電話をいい、例えば下記の特許文献に記載されている。ビデオ電話は、音声だけでは相手に伝え難い情報を視覚により容易に伝えることができたり、相手の表情を見ながら通話することができたりするメリットがある。
【特許文献１】特開平１−８１５８７号公報（１９８９年３月２７日公開）
【特許文献２】特開平２−６７８８８号公報（１９９０年３月７日公開）
【特許文献３】特開平８−１９５９４４号公報（１９９６年７月３０日公開）
【特許文献４】特開平１１−１４６３６６号公報（１９９９年５月２８日公開）
【特許文献５】特開２０００−１３４５９２号公報（２０００年５月１２日公開）
【発明の開示】
【発明が解決しようとする課題】
【０００４】
しかしながら、自機の側で複数人存在する場合に携帯電話機を用いてビデオ電話を行うときには、以下のような問題点が発生する。
【０００５】
すなわち、ビデオ電話では、相手機からの映像（以下、「相手映像」と称する。）が自機のディスプレイに表示されることになるが、携帯電話機のディスプレイのサイズは、個人で見ることを目的としたサイズである為、複数人で見るには狭い。
【０００６】
また、近時の携帯電話機には、内側および外側のそれぞれにカメラとディスプレイとを備えている機種が存在する。この場合、一般に、内側のカメラは、主に携帯電話機の利用者を撮影することから画角が狭いことが多く、外側のカメラは、主に風景を撮影することから画角が広いことが多い。また、内側のディスプレイは、メールを読んだり、アプリケーションを実行したりするために画面のサイズが比較的広いが、外側のディスプレイは、時刻の表示やメールの着信などを報知すればよいので、画面のサイズが比較的狭い。
【０００７】
このことから、外側のカメラおよびディスプレイを利用してビデオ電話を行う場合には、カメラの画角が広いので複数人の撮影が容易であるが、ディスプレイのサイズが狭いので相手映像が非常に見難い。一方、内側のカメラおよびディスプレイを利用してビデオ電話を行う場合には、ディスプレイのサイズが広いので相手映像が見易いが、カメラの画角が狭いので複数人の撮影が困難である。
【０００８】
また、複数人が存在する場合には、或る１人が撮影者となって携帯電話機を操作し、残りの人を被撮影者として撮影することがある。この場合、携帯電話機に対して別々の側に撮影者と被撮影者とが存在することになるので、自機で撮影した映像（以下、「自機映像」と称する。）および相手映像は、撮影者および被撮影者の何れか一方でのみ確認でき、他方では確認できず、不便である。
【０００９】
本発明は、上記の問題点に鑑みてなされたものであり、その目的は、ビデオ電話を行う場合に相手映像や自機映像が見易い携帯端末などを提供することにある。
【課題を解決するための手段】
【００１０】
上記課題を解決するため、本発明に係る携帯端末は、ビデオ電話機能を有する携帯端末であって、自端末の映像データおよび音声データを無線で送信するとともに、相手端末の映像データおよび音声データを無線で受信する携帯端末において、上記自端末および／または相手端末の映像データを外部に出力する外部出力手段を備えることを特徴としている。
【００１１】
さらに、本発明に係る携帯端末は、上記の構成において、上記外部出力手段は、上記映像データを出力する出力先の表示装置に適した形式に上記映像データを変換することを特徴としている。
【００１２】
さらに、本発明に係る携帯端末は、上記の構成において、上記外部出力手段は、さらに、自端末および／または相手端末の音声データを外部に出力することを特徴としている。
【００１３】
さらに、本発明に係る携帯端末は、上記の構成において、上記外部出力手段は、上記音声データを出力する出力先の音声出力装置に適した形式に上記音声データを変換することを特徴としている。
【００１４】
さらに、本発明に係る携帯端末は、上記の構成において、撮影を行って上記自端末の映像データを作成する映像入力手段と、映像データに基づいて映像を表示する映像表示手段と、上記映像入力手段が作成した上記自端末の映像データと、上記相手端末の映像データと、上記自端末および上記相手端末の両方の映像データとの中から、上記外部出力手段が外部に出力する映像データと、上記映像表示手段が表示するための映像データとをそれぞれ選択する映像選択手段とをさらに備えることを特徴としている。
【００１５】
さらに、本発明に係る携帯端末は、上記の構成において、上記映像入力手段は、撮影を行う第１の撮影手段を備えており、上記映像表示手段は、第１の撮影手段の撮影方向と同じ向きに映像を表示出力する第１の表示出力手段と、該撮影方向と反対向きに映像を表示出力する第２の表示出力手段とを備えており、上記映像選択手段は、さらに、上記映像入力手段が作成した上記自端末の映像データと、上記相手端末の映像データと、上記自端末および上記相手端末の両方の映像データとの中から、第１の表示出力手段が表示するための映像データと、第２の表示出力手段が表示するための映像データとをそれぞれ選択することを特徴としている。
【００１６】
さらに、本発明に係る携帯端末は、上記の構成において、上記映像入力手段は、第１の撮影手段の撮影方向と反対向きに撮影を行う第２の撮影手段をさらに備えており、上記映像選択手段は、第１の撮影手段が撮影を行う場合には、該撮影により上記映像入力手段が作成した上記自端末の映像データを、第２の表示出力手段が表示するための映像データとして選択する一方、第２の撮影手段が撮影を行う場合には、該撮影により上記映像入力手段が作成した上記自端末の映像データを、第１の表示出力手段が表示するための映像データとして選択することを特徴としている。
【００１７】
さらに、本発明に係る携帯端末は、上記の構成において、上記外部出力手段が映像データを出力する出力先の表示装置に対して、赤外線で信号を送信する赤外線送信手段と、上記出力先の表示装置を制御する制御信号を上記赤外線送信手段が送信するように制御する赤外線送信制御手段とを備えることを特徴としている。
【００１８】
さらに、本発明に係る携帯端末は、上記の構成において、上記赤外線送信制御手段は、ビデオ電話を開始するときに、上記出力先の表示装置の電源をオンにする制御信号を上記赤外線送信手段が送信し、ビデオ電話を終了するときに、上記出力先の表示装置の電源をオフにする制御信号を上記赤外線送信手段が送信するように上記赤外線送信手段を制御することを特徴としている。
【００１９】
さらに、本発明に係る携帯端末は、上記の構成において、上記赤外線送信制御手段は、ビデオ電話を開始するときに、上記出力先の表示装置の映像入力を上記外部出力手段からの映像入力に切り替える制御信号を上記赤外線送信手段が送信し、ビデオ電話を終了するときに、上記出力先の表示装置の映像入力を元の映像入力に切り替える制御信号を上記赤外線送信手段が送信するように上記赤外線送信手段を制御することを特徴としている。
【００２０】
さらに、本発明に係る携帯端末は、上記の構成において、上記赤外線送信制御手段は、ビデオ電話要求の着信または発信があったときを、ビデオ電話を開始するときとすることを特徴としている。
【００２１】
さらに、本発明に係る携帯端末は、上記の構成において、利用者が各種の操作を行う操作手段をさらに備えており、上記赤外線送信制御手段は、上記利用者が上記操作手段を介してビデオ電話の開始を指示する操作を行ったときを、ビデオ電話を開始するときとすることを特徴としている。
【００２２】
さらに、本発明に係る携帯端末は、上記の構成において、利用者が各種の操作を行う操作手段をさらに備えており、上記赤外線送信制御手段は、上記利用者が上記操作手段を介してビデオ電話の終了を指示する操作を行ったときを、ビデオ電話を終了するときとすることを特徴としている。
【００２３】
さらに、本発明に係る携帯端末は、上記の構成において、上記赤外線送信制御手段による制御は、ビデオ電話を開始または終了するとき、自動的に行うか、或いは、その旨を利用者に報知して、利用者からの指示に基づいて行うかを設定する設定手段を備えることを特徴としている。
【００２４】
さらに、本発明に係る携帯端末は、上記の構成において、上記外部出力手段が出力先の表示装置との接続を検知する接続検知手段と、該接続検知手段が接続を検知した場合にのみ上記外部出力手段が上記出力先の表示装置に出力するように制御する外部出力制御手段とを備えることを特徴としている。
【００２５】
また、本発明に係るビデオ電話システムは、ビデオ電話機能を有する携帯端末であって、自端末の映像データおよび音声データを無線で送信するとともに、相手端末の映像データおよび音声データを無線で受信する携帯端末と、該携帯端末を収容するクレードルとを備えるビデオ電話システムにおいて、上記携帯端末は、データをクレードルに送信する送信手段を備えており、上記クレードルは、上記携帯端末から上記データを受信する受信手段と、該受信手段が受信した上記自端末および／または相手端末の映像データを外部に出力する外部出力手段とを備えることを特徴としている。
【００２６】
また、本発明に係る携帯端末は、ビデオ電話機能を有する携帯端末であって、自端末の映像データおよび音声データを無線で送信するとともに、相手端末の映像データおよび音声データを無線で受信する携帯端末において、撮影を行って映像データを作成する映像入力手段と、音声を音声データに変換する音声入力手段とを備えており、上記映像入力手段は、撮影を行う第１および第２の撮影手段を備えており、第１および第２の撮影手段は、撮影方向が互いに反対向きとなるように設けられており、上記音声入力手段は、音声を電気信号に変換する第１および第２のマイク手段を備えており、第１のマイク手段は、第１の撮影手段の撮影方向からの音声を主に入力するように設けられ、第２のマイク手段は、第２の撮影手段の撮影方向からの音声を主に入力するように設けられており、第１の撮影手段および第１のマイク手段と、第２の撮影手段および第２のマイク手段との何れか一方から映像データおよび音声データを取得するように、上記映像入力手段および上記音声入力手段を制御する入力制御手段をさらに備えることを特徴としている。
【００２７】
また、本発明に係る携帯端末は、ビデオ電話機能を有する携帯端末であって、自端末の映像データおよび音声データを無線で送信するとともに、相手端末の映像データおよび音声データを無線で受信する携帯端末において、撮影を行って映像データを作成する映像入力手段と、映像データに基づいて映像を表示する映像表示手段とを備えており、上記映像入力手段は、撮影を行う撮影手段を備えており、上記映像表示手段は、該撮影手段の撮影方向と同じ向きに映像を表示出力する第１の表示出力手段と、該撮影方向と反対向きに映像を表示出力する第２の表示出力手段とを備えており、上記撮影手段の撮影により上記映像入力手段が作成した上記自端末の映像データに基づく映像を第２の表示出力手段に表示出力するとともに、上記相手端末の映像データに基づく映像を第１の表示出力手段に表示出力するように上記映像表示手段を制御する表示制御手段をさらに備えることを特徴としている。
【００２８】
さらに、本発明に係る携帯端末は、上記の構成において、第１の表示出力手段は、第２の表示出力手段に比べて、表示画面のサイズが大きいことを特徴としている。
【００２９】
さらに、本発明に係る携帯端末は、上記の構成において、携帯端末は、携帯電話機であることを特徴としている。
【００３０】
また、本発明に係る制御プログラムは、上記携帯端末を動作させるための制御プログラムであって、コンピュータを上記赤外線送信制御手段として機能させるための制御プログラムであることを特徴としている。また、本発明に係るコンピュータ読取り可能な記録媒体は、上記制御プログラムが記録されていることを特徴としている。
【発明の効果】
【００３１】
上記のように、本発明に係る携帯端末は、上記自端末および／または相手端末の映像データを外部に出力する外部出力手段を備える構成である。
【００３２】
ここで、上記携帯端末としては、ビデオ電話機能を有し、かつ、無線でのデータ通信が可能な情報処理端末であれば、携帯電話機、ＰＨＳ（Personal Handy-phone System）、ＰＤＡ（Personal Digital Assistant）など、任意の端末を利用することができる。
【００３３】
上記の構成によると、自端末および／または相手端末の映像データを外部に出力するので、携帯端末に比べて表示画面が広い外部の表示装置に相手映像および／または自機映像を出力することができ、相手映像や自機映像が見易くなるという効果を奏する。
【００３４】
さらに、本発明に係る携帯端末は、上記の構成において、上記外部出力手段は、上記映像データを出力する出力先の表示装置に適した形式に上記映像データを変換する構成である。これにより、外部出力手段から出力される映像信号をそのまま出力先の表示装置にて利用できるので、例えばＴＶ受像機に代表される映像信号を入力可能な既存の表示装置を利用できるという効果を奏する。
【００３５】
なお、上記外部出力手段は、さらに、自端末および／または相手端末の音声データを外部に出力することが望ましい。この場合、上記外部出力手段は、上記音声データを出力する出力先の音声出力装置に適した形式に上記音声データを変換することがさらに望ましい。
【００３６】
さらに、本発明に係る携帯端末は、上記の構成において、上記映像入力手段が作成した上記自端末の映像データと、上記相手端末の映像データと、上記自端末および上記相手端末の両方の映像データとの中から、上記外部出力手段が外部に出力する映像データと、上記映像表示手段が表示するための映像データとをそれぞれ選択する映像選択手段をさらに備える構成である。
【００３７】
上記の構成によると、外部出力手段から出力する映像データを、自端末の映像データと、相手端末の映像データと、自端末および相手端末の両方の映像データとの中から選択できるので、所望の映像を外部の表示装置に表示できるという効果を奏する。例えば、外部の表示装置に自機映像を表示すれば、自機映像が相手端末の利用者にどのように見られているかを適切に確認することができ、有用である。
【００３８】
なお、外部出力手段が外部に出力する映像データとして相手端末の映像データが選択され、映像表示手段が表示するための映像データとして自端末の映像データが選択されることが望ましい。この場合、相手映像を外部の表示装置が表示し、自機映像を自機の映像表示手段が表示するので、自機の表示画面に自機映像を大きく表示することができ、自機映像が見易くなるという効果を奏する。
【００３９】
さらに、本発明に係る携帯端末は、上記の構成において、上記映像入力手段は、撮影を行う第１の撮影手段を備えており、上記映像表示手段は、第１の撮影手段の撮影方向と同じ向きに映像を表示出力する第１の表示出力手段と、該撮影方向と反対向きに映像を表示出力する第２の表示出力手段とを備えており、上記映像選択手段は、さらに、上記映像入力手段が作成した上記自端末の映像データと、上記相手端末の映像データと、上記自端末および上記相手端末の両方の映像データとの中から、第１の表示出力手段が表示するための映像データと、第２の表示出力手段が表示するための映像データとをそれぞれ選択する構成である。
【００４０】
上記の構成によると、第１および第２の表示出力手段が表示するための映像データを、自端末の映像データと、相手端末の映像データと、自端末および相手端末の両方の映像データとの中からそれぞれ選択できるので、第１および第２の表示出力手段に所望の映像をそれぞれ表示できるという効果を奏する。
【００４１】
ところで、或る人が撮影者となり、残りの人を被撮影者としてビデオ電話を行う場合に、撮影者は携帯端末に対し被撮影者の反対側に位置することになる。この場合、第２の表示出力手段が表示するための映像データとして、自端末の映像データを選択することが望ましい。これにより、撮影手段の反対側に自機映像が表示されるので、撮影者が自機映像を参照しながら撮影できるという効果を奏する。
【００４２】
なお、上記映像入力手段が、第１の撮影手段の撮影方向と反対向きに撮影を行う第２の撮影手段をさらに備えている場合には、上記映像選択手段は、第１の撮影手段が撮影を行う場合には、該撮影により上記映像入力手段が作成した上記自端末の映像データを、第２の表示出力手段が表示するための映像データとして選択する一方、第２の撮影手段が撮影を行う場合には、該撮影により上記映像入力手段が作成した上記自端末の映像データを、第１の表示出力手段が表示するための映像データとして選択すればよい。この場合、何れの撮影手段で撮影しても、上記と同様に、撮影者が自機映像を参照しながら撮影できるという効果を奏する。
【００４３】
さらに、本発明に係る携帯端末は、上記の構成において、上記外部出力手段が映像データを出力する出力先の表示装置に対して、赤外線で信号を送信する赤外線送信手段と、上記出力先の表示装置を制御する制御信号を上記赤外線送信手段が送信するように制御する赤外線送信制御手段とを備える構成である。
【００４４】
これにより、上記携帯端末は、出力先の表示装置を赤外線で遠隔操作できるので、出力先の表示装置を直接操作したり、別の遠隔操作機を利用したりすること無く、出力先の表示装置に相手映像を表示することができ、利用者の手間を省略できるという効果を奏する。
【００４５】
なお、上記赤外線送信制御手段は、ビデオ電話を開始するときには、上記出力先の表示装置の電源をオンにする制御信号や、上記出力先の表示装置の映像入力を上記外部出力手段からの映像入力に切り替える制御信号を送信することが望ましい。また、ビデオ電話を終了するときには、上記出力先の表示装置の電源をオフにする制御信号や、上記出力先の表示装置の映像入力を元の映像入力に切り替える制御信号を送信することが望ましい。
【００４６】
また、上記赤外線送信制御手段は、ビデオ電話要求の着信または発信があった場合が、ビデオ電話を開始する場合であると判断しても良い。この場合、ビデオ電話要求の着信または発信があると、出力先の表示装置に相手映像や自機映像を自動的に表示でき、利用者の手間をさらに省略できるという効果を奏する。
【００４７】
また、上記赤外線送信制御手段は、上記利用者が上記操作手段を介してビデオ電話の開始を指示する操作を行った場合が、ビデオ電話を開始する場合であると判断しても良い。一般に、携帯電話機の場合では、通話開始ボタンを押すことにより通話が開始される。したがって、利用者によるビデオ電話の開始操作に連動して上記制御信号を送信するので、利用者が出力先の表示装置を遠隔操作するために新たな操作を行う必要が無く、利用者の手間をさらに省略できるという効果を奏する。また、利用者がビデオ電話の開始操作を行うときに、赤外線の出射方向を出力先の表示装置に向けることにより、出力先の表示装置を確実に遠隔操作して電源オンや映像入力の切替えを確実に行うことができるという効果を奏する。
【００４８】
また、上記赤外線送信制御手段は、上記利用者が上記操作手段を介してビデオ電話の終了を指示する操作を行った場合が、ビデオ電話を終了する場合であると判断しても良い。一般に、携帯電話機の場合では、通話終了ボタンを押すことにより通話が終了される。したがって、利用者によるビデオ電話の終了操作に連動して上記制御信号を送信するので、利用者が出力先の表示装置を遠隔操作するために新たな操作を行う必要が無く、利用者の手間をさらに省略できるという効果を奏する。また、利用者がビデオ電話の終了操作を行うときに、赤外線の出射方向を出力先の表示装置に向けることにより、出力先の表示装置を確実に遠隔操作して電源オフや映像入力の切替えを確実に行うことができるという効果を奏する。
【００４９】
なお、上記赤外線送信制御手段による制御は、ビデオ電話を開始または終了するとき、自動的に行うか、或いは、その旨を利用者に報知して、利用者からの指示に基づいて行うかを設定する設定手段を備えることが望ましい。この場合、利用者による携帯端末の利用形態に応じて柔軟に対応できるという効果が期待できる。
【００５０】
さらに、本発明に係る携帯端末は、上記の構成において、上記外部出力手段が出力先の表示装置との接続を検知する接続検知手段と、該接続検知手段が接続を検知した場合にのみ上記外部出力手段が上記出力先の表示装置に出力する外部出力制御手段とを備える構成である。
【００５１】
これにより、通常は、相手映像や自機映像を自機の表示画面に表示し、出力先の表示装置と接続した場合に相手映像や自機映像を出力先の表示装置の表示画面に表示することができ、利用者が相手映像や自機映像を外部に出力するための操作を行う必要が無く、利用者の手間を省略できるという効果を奏する。
【００５２】
また、本発明に係るビデオ電話システムは、上記のように、ビデオ電話機能を有する携帯端末であって、自端末の映像データおよび音声データを無線で送信するとともに、相手端末の映像データおよび音声データを無線で受信する携帯端末と、該携帯端末を収容するクレードルとを備えるビデオ電話システムにおいて、上記携帯端末は、データをクレードルに送信する送信手段を備えており、上記クレードルは、上記携帯端末から上記データを受信する受信手段と、該受信手段が受信した上記自端末および／または相手端末の映像データを外部に出力する外部出力手段とを備える構成である。
【００５３】
上記の構成によると、携帯端末が、クレードルへデータを送信する送信手段を備えるのみで、クレードルの外部出力手段が、自端末および／または相手端末の映像データを外部に出力できるので、外部の表示装置に相手映像や自機映像を出力するための新たな構成を携帯端末に設ける必要がないという効果を奏する。
【００５４】
また、本発明に係る携帯端末は、上記のように、上記映像入力手段は、撮影を行う第１および第２の撮影手段を備えており、第１および第２の撮影手段は、撮影方向が互いに反対向きとなるように設けられており、上記音声入力手段は、音声を電気信号に変換する第１および第２のマイク手段を備えており、第１のマイク手段は、第１の撮影手段の撮影方向からの音声を主に入力するように設けられ、第２のマイク手段は、第２の撮影手段の撮影方向からの音声を主に入力するように設けられており、第１の撮影手段および第１のマイク手段と、第２の撮影手段および第２のマイク手段との何れか一方から映像データおよび音声データを取得するように、上記映像入力手段および上記音声入力手段を制御する入力制御手段をさらに備える構成である。
【００５５】
ところで、携帯端末を用いたビデオ電話では、通常、携帯端末の利用者が、被撮影者となり、通話を行い、相手映像を見るため、内側のカメラ、マイク、ディスプレイが利用される。しかし、複数人が被撮影者となる場合には、上述のように、画角の広い外側のカメラを利用することが望ましいが、外側のカメラでビデオ電話を行う場合、従来の携帯端末では通常の通話用マイクは搭載されているものの、外側にマイクが設けられていないため、入力される音声の音量が小さくなるという問題点がある。また比較的大型の別体マイクを携帯電話に装着することも可能であるが、当該別体マイクを所持携帯することは面倒である。
【００５６】
これに対し、本発明では、携帯端末の外側にもマイクを設け、撮影側のマイクを利用するように入力制御手段が制御を行っている。これにより、外側のカメラで撮影した場合でも、適当な音量の音声データを作成できるという効果を奏する。
【００５７】
また、本発明に係る携帯端末は、上記のように、上記映像入力手段は、撮影を行う撮影手段を備えており、上記映像表示手段は、該撮影手段の撮影方向と同じ向きに映像を表示出力する第１の表示出力手段と、該撮影方向と反対向きに映像を表示出力する第２の表示出力手段とを備えており、上記撮影手段の撮影により上記映像入力手段が作成した上記自端末の映像データに基づく映像を第２の表示出力手段に表示出力するとともに、上記相手端末の映像データに基づく映像を第１の表示出力手段に表示出力するように上記映像表示手段を制御する表示制御手段をさらに備える構成である。
【００５８】
これにより、撮影手段の撮影方向に映像を表示する第１の表示出力手段は相手映像を表示し、該撮影方向と反対向きに映像を表示する第２の表示出力手段は自機映像を表示することになる。したがって、被撮影者は、相手映像を見ることができるので、ビデオ電話を楽しむことができ、撮影者は、自機映像すなわち被撮影者の映像を見ることができるので、被撮影者を的確に撮影することができるという効果を奏する。
【００５９】
なお、第１の表示出力手段は、第２の表示出力手段に比べて、表示画面のサイズが大きいことが望ましい。この場合、表示画面のサイズが大きい方に相手映像が表示されるので、被撮影者は相手映像が見易くなるという効果を奏する。
【００６０】
なお、上記の携帯端末は、携帯電話機で実現することが望ましい。携帯電話機は、可搬性が重要であるため、重くなったり大型画面を設けたりすることは難しく、この点から本願発明を適用するのに好適である。
【００６１】
なお、上記携帯端末における赤外線送信制御手段を、制御プログラムによりコンピュータ上で実行させることができる。さらに、上記制御プログラムをコンピュータ読取り可能な記録媒体に記憶させることにより、任意のコンピュータ上で上記制御プログラムを実行させることができる。
【発明を実施するための最良の形態】
【００６２】
〔実施の形態１〕
以下、本発明の一実施形態について図１ないし図５に基づいて説明する。なお、以下では、携帯端末として好適な携帯電話機に本発明を適用した場合について説明するが、本発明はそれに留まるものではなく、ビデオ電話機能を有するものであれば、ＰＨＳ、ＰＤＡなどの任意の携帯端末に適用できることは勿論である。
【００６３】
また、出力先の表示装置としてＴＶ（テレビジョン）受像機を採用した場合を説明している。しかしながら、出力先の表示装置としては、携帯端末の表示サイズよりも大きい表示サイズを有し映像入力機能や音声入力機能を有する表示装置であれば良く、また、赤外線信号により、電源のオン・オフ、画像入力の切替等の遠隔操作を行うことができれば良く、ＴＶチューナーを有さない例えば表示モニター等であっても良い。さらに、ＴＶ受像機としても、ＴＶチューナーを備えた情報処理装置（ＰＣ（Personal Computer）、ＰＤＡ等）であっても良い。
【００６４】
図１は、本実施形態のビデオ電話システムの概略構成を示している。図示のように、ビデオ電話システム１は、ビデオ電話機能付携帯電話機（以下、「携帯電話機」と略称する。）２とＴＶ受像機３とを備える構成である。
【００６５】
まず、携帯電話機２の概略構成を説明する。携帯電話機２は、映像入力部（映像入力手段）１０、音声入力部（音声入力手段）１１、映像表示部（映像表示手段）１２、音声出力部（音声出力手段）１３、ＡＶコーデック部（ＡＶコーデック手段）１４、無線処理部（無線通信手段）１５、アンテナ（無線通信手段）１６、操作部（操作手段）１７、および制御部１８を備える構成である。
【００６６】
映像入力部１０は、被写体の撮影を行って映像データを生成し、生成した映像データを映像表示部１２およびＡＶコーデック部１４に送信することにより、映像の入力を行うものである。具体的には、映像入力部１０としては、被写体からの光を電気信号に変換するＣＣＤ（Charge Coupled Device）、ＣＭＯＳ（Complementary Metal-oxide Semiconductor）などの撮像素子と、撮像素子からの電気信号をＲＧＢ各色のデジタル映像データに変換する映像処理回路とを備える構成が挙げられる。
【００６７】
音声入力部１１は、音声を音声データに変換し、変換した音声データをＡＶコーデック部１４に送信することにより、音声の入力を行うものである。具体的には、音声入力部１１は、音波を電気信号に変換するマイクロホンと、Ａ／Ｄ変換器、アンプなどからなり、マイクロホンからの電気信号をデジタル音声データに変換する音声入力処理回路とを備える構成である。
【００６８】
映像表示部１２は、映像入力部１０およびＡＶコーデック部１４から映像データを受信し、受信した映像データに基づいて映像を表示するものである。具体的には、映像表示部１２は、プラズマディスプレイ、液晶ディスプレイ（ＬＣＤ）、ＥＬ（Electroluminescence）ディスプレイなどの表示素子と、受信した映像データに基づいて表示素子を駆動するドライバ回路とを備える構成である。
【００６９】
音声出力部１３は、ＡＶコーデック部１４から音声データを受信し、受信した音声データに基づいて音声を出力するものである。具体的には、音声出力手段は、Ｄ／Ａ変換器、アンプなどからなり、受信した音声データを電気信号に変換する音声出力処理回路と、電気信号を音波に変換するスピーカやイヤホンとを備える構成である。なお、携帯電話機は、通話を行う場合にはイヤホンが利用され、ビデオ電話や着信の報知を行う場合にはスピーカが利用される。
【００７０】
ＡＶコーデック部１４は、映像データおよび音声データの符号化と復号化とを行うものである。図２は、ビデオ電話機能付携帯電話機にて利用されるＡＶコーデック部１４の概略構成を示している。図示のように、ＡＶコーデック部１４は、映像符号化部４１、音声符号化部４２、ＡＶ多重化部４３、ＡＶ分離部４４、映像復号化部４５、および音声復号化部４６を備える構成である。なお、ＡＶコーデック部１４は、通常、１チップのＬＳＩ（Large Scale Integrated Circuit）で提供される。
【００７１】
映像符号化部４１は、映像入力部１０などから入力された映像データを符号化するものであり、音声符号化部４２は、音声入力部１１などから入力された音声データを符号化するものである。ＡＶ多重化部４３は、映像符号化部４１および音声符号化部４２にて符号化された映像データおよび音声データを多重化し、多重化されたデータであるＡＶストリームデータを制御部１８を介して無線処理部１５などに出力するものである。
【００７２】
一方、ＡＶ分離部４４は、無線処理部１５などから制御部１８を介して入力されたＡＶストリームデータを、符号化された映像データおよび音声データに分離するものである。映像復号化部４５は、ＡＶ分離部４４にて分離された映像データを復号化し、復号化された映像データを映像表示部１２などに出力するものである。音声復号化部４６は、分離された音声データを復号化し、復号化された音声データを音声出力部１３などに出力するものである。
【００７３】
映像データのコーデックの例としては、ＩＴＵ−Ｔ  Ｈ．２６３やＭＰＥＧ−４が挙げられる。ここで、ＩＴＵ−Ｔは、International Telecommunications Union Telecommunication Standardization Sectorの略称であり、ＭＰＥＧは、Moving Picture Experts Groupの略称である。また、音声データのコーデックの例としては、ＧＳＭ−ＡＭＲが挙げられる。ここで、ＧＳＭは、Global System for Mobile communicationの略称であり、ＡＭＲは、Adaptive Multirateの略称である。
【００７４】
無線処理部１５は、制御部１８から受信したデータを無線送信に適した形式に変換し、変換した無線信号をアンテナ１６を介して外部に送信するとともに、外部からアンテナ１６を介して受信した無線信号を元の形式に変換し、変換したデータを制御部１８に送信するものである。具体的には、無線処理部１５では、チャネルコーデック処理、データの変復調処理、ベースバンド信号処理、ＲＦ（Radio Frequency）処理などが行われる。
【００７５】
操作部１７は、携帯電話機２の表面に設けられた入力デバイスを利用者が操作することにより、操作データを作成して制御部１８に送信するものである。入力デバイスとしては、ボタンスイッチやタッチパネルなどが挙げられる。
【００７６】
制御部１８は、携帯電話機２内の各種構成を統括的に制御するものである。制御部１８の機能は、例えばＲＡＭ（Random Access Memory）やフラッシュメモリなどの記憶装置に記憶されたプログラムをＣＰＵ（Central Processing Unit）が実行することによって実現される。なお、制御部１８の詳細な構成については後述する。
【００７７】
さらに、本実施形態では、携帯電話機２は、外部出力手段として、映像Ｉ／Ｆ（インタフェース）部２０、映像信号出力部２１、音声Ｉ／Ｆ部２２、および音声信号出力部２３を備える構成であり、赤外線送信手段としてＩＲ送信部２４を備える構成である。
【００７８】
映像Ｉ／Ｆ部２０は、ＡＶコーデック部１４からの映像データを、外部の表示装置であるＴＶ受像機３にて利用できる信号形式に変換するものである。例えば、ＡＶコーデック部１４からの映像データが、ＲＧＢ方式のデジタル映像データであり、ＴＶ受像機３にて利用される映像信号がＮＴＳＣ（National Television System Committee）方式のアナログ映像信号である場合には、映像Ｉ／Ｆ部２０は、Ｄ／Ａ変換処理とＮＴＳＣエンコード処理とを行うことになる。なお、外部の表示装置としてＴＶ受像機３の代わりにＰＣ（Personal Computer）用ディスプレイを利用する場合には、ＰＣ用ディスプレイはＲＧＢ方式のデジタル映像データをそのまま利用できるので、映像Ｉ／Ｆ部２０を省略することができる。
【００７９】
映像信号出力部２１は、映像Ｉ／Ｆ部２０が変換した映像信号をＴＶ受像機３に出力するものである。例えば、映像信号出力部２１は、図示のように上記映像信号をビデオケーブル２５を介してＴＶ受像機３のビデオ入力端子に出力する場合には、ビデオ出力端子を備えることになる。
【００８０】
音声Ｉ／Ｆ部２２は、ＡＶコーデック部１４からの音声データを、ＴＶ受像機３にて利用できる信号形式に変換するものである。例えば、ＡＶコーデック部１４からの音声データが、ＰＣＭ（pulse code modulation）データであり、ＴＶ受像機３にて利用される音声信号がアナログ音声信号である場合には、音声Ｉ／Ｆ部２２はＤ／Ａ変換処理を行うことになる。
【００８１】
音声信号出力部２３は、音声Ｉ／Ｆ部２２が変換した音声信号をＴＶ受像機３に出力するものである。例えば、音声信号出力部２３は、図示のように上記音声信号をオーディオケーブル２６を介してＴＶ受像機３のオーディオ入力端子に出力する場合には、オーディオ出力端子を備えることになる。
【００８２】
なお、上記映像信号および上記音声信号の出力は、上記のように有線で行っても良いし、ＴＶ受像機３で利用可能であれば、ＩｒＤＡ、Ｂｌｕｅｔｏｏｔｈ（登録商標）、ＩＥＥＥ８０２．１１などの無線で行っても良い。無線で行う場合には、映像信号出力部２１および音声信号出力部２３は、映像信号および音声信号を無線に適した形式に変換する処理を行う必要がある。また、上記映像信号および上記音声信号をシリアル形式で出力しても良いし、パラレル形式で出力しても良い。
【００８３】
ＩＲ送信部２４は、ＴＶ受像機３を遠隔制御する制御信号を、制御部１８から受信し、受信した制御信号を赤外線での送信に適した形式に変換して赤外線で送信するものである。なお、最近の携帯電話機２には、赤外線通信を行うためのＩｒＤＡ（Infrared Data Association）通信モジュールが搭載されているので、このＩｒＤＡ通信モジュールをＩＲ送信部２４として利用しても良い。
【００８４】
次に、ＴＶ受像機３の構成について説明する。本実施形態で利用されるＴＶ受像機３は、映像信号がＮＴＳＣ方式の映像信号であり、ビデオ入力端子およびオーディオ入力端子を備えており、赤外線リモコン機能を有している一般的なＴＶ受像機である。図１に示されるように、ＴＶ受像機３は、映像信号入力部３０、音声信号入力部３１、ＴＶ用アンテナ３２、ＴＶチューナ部３３、入力切替スイッチ３４、映像表示部３５、音声出力部３６、ＩＲ受信部３７、制御部３８、および電源部３９を備える構成である。
【００８５】
映像信号入力部３０は、携帯電話機２の映像信号出力部２１からの映像信号が入力されるものであり、例えば、ビデオ入力端子を備える構成である。映像信号入力部３０は、入力された映像信号を切替スイッチ３４に送信する。
【００８６】
音声信号入力部３１は、携帯電話機２の音声信号出力部２３からの音声信号が入力されるものであり、例えば、オーディオ入力端子を備える構成である。音声信号入力部３１は、入力された音声信号を切替スイッチ３４に送信する。
【００８７】
なお、上記映像信号および音声信号の入力は、上記のように有線で行っても良いし、無線で行っても良い、無線で行う場合には、映像信号入力部３０および音声信号入力部３１は、無線信号を受信するアンテナなどの無線受信手段と、無線信号を元の形式に変換する無線処理手段とを備える必要がある。
【００８８】
ＴＶチューナ部３３は、外部からアンテナ３２を介して所望のチャンネルの電波を選択して受信し、これを例えばＮＴＳＣ形式などの所定形式の映像信号および音声信号に変換して、切替スイッチ３４に送信するものである。
【００８９】
切替スイッチ３４は、制御部３８からの指示に基づき、映像表示部３５および音声出力部３６へ送信する映像信号および音声信号を、ＴＶチューナ部３３からの映像信号および音声信号と、映像信号入力部３０および音声信号入力部３１からの映像信号および音声信号とで切り替えるものである。
【００９０】
映像表示部３５は、切替スイッチ３４から映像信号を受信し、受信した映像信号に基づいて映像を表示するものである。具体的には、映像表示部３５は、映像表示部１２と同様に、ＬＣＤ、ＥＬディスプレイ、ＰＤＰ（Plasma Display Panel）、ＣＲＴ（Cathode Ray Tube）などの表示素子と、受信した映像信号に基づいて表示素子を駆動するドライバ回路とを備える構成である。
【００９１】
音声出力部３６は、切替スイッチ３４から音声信号を受信し、受信した音声信号に基づいて音声を出力するものである。具体的には、音声出力部３６は、アンプなどの音声出力処理回路と、電気信号を音波に変換するスピーカを備える構成である。
【００９２】
ＩＲ受信部３７は、携帯電話機２のＩＲ送信部２４から赤外線で送信される制御信号を受信し、受信した制御信号を元の形式に変換して、制御部３８に送信するものである。
【００９３】
制御部３８は、ＴＶ受像機３内の各種構成を統括的に制御するものである。本実施形態では、制御部３８は、ＩＲ受信部３７からの制御信号を受信し、受信した制御信号に基づいて、切替スイッチ３４における切替制御や、電源部３９における給電制御を行う。
【００９４】
電源部３９は、制御部３８からの指示に基づいて、ＴＶ受像機３内の各種構成に電力を供給したり、停止したりするものである。
【００９５】
上記の構成によると、本実施形態のビデオ電話システム１は、映像信号出力部２１から相手映像の映像信号をＴＶ受像機３に出力できるので、表示画面が携帯電話機２よりも広いＴＶ受像機３に相手映像を出力でき、相手映像が見易くなる。同様に、音声信号出力部２３から相手先の音声信号をＴＶ受像機３に出力できるので、携帯電話機２よりも高出力のスピーカを備えたＴＶ受像機３から相手先の音声を出力でき、相手先の音声が聞き易くなる。
【００９６】
また、携帯電話機２が映像Ｉ／Ｆ部２０を備えることにより、映像信号出力部２１から出力される映像信号をＴＶ受像機３にてそのまま利用できるので、既存のＴＶ受像機３を利用することができる。同様に、音声Ｉ／Ｆ部２２を設けることにより、音声信号出力部２３から出力される音声信号をＴＶ受像機３にてそのまま利用できるので、既存のＴＶ受像機３を利用することができる。
【００９７】
また、携帯電話機２は、ＩＲ送信部２４を備えることにより、ＴＶ受像機３を赤外線で遠隔操作できるので、ＴＶ受像機３を直接操作したり、別の遠隔操作機を利用したりすること無く、ＴＶ受像機３に相手映像を表示することができ、利用者の手間を省略することができる。
【００９８】
次に、携帯電話機２における制御部１８の詳細について説明する。図３は、制御部１８の概略構成を示している。図示のように、制御部１８は、通話制御部５０、通信サービス処理部５１、ＡＶコーデック制御部５２、表示制御部（映像選択手段、表示制御手段）５３、およびＩＲ制御部（赤外線送信制御手段）５３を備える構成である。
【００９９】
通話制御部５０は、相手先からの呼出し処理、相手先への呼出し処理、通話の終了処理など、通話の開始および終了に関する各種処理を行う。具体的には、通話制御部５０は、相手先からの呼出しがあった場合には、通話の要求、ビデオ電話の要求、および電子メールの着信の何れであるかを判断し、判断結果を通信サービス処理部５１に通知する。また、通話制御部５０は、通信サービス処理部５１が選択した通信サービスに基づいて、相手先への呼出しを行う。
【０１００】
また、通話制御部５０は、通話中やビデオ電話中には、ＡＶコーデック部１４と無線処理部１５との間でストリームデータの送受を行い、電子メール等の各種データの通信中には、通信サービス処理部５１と無線処理部１５との間でデータの送受を行うように制御する。
【０１０１】
通信サービス処理部５１は、通話サービス、ビデオ電話サービス、電子メールサービスなどの各種通信サービスに対応する処理を行うとともに、通信サービスに基づいて、ＡＶコーデック制御部５２、表示制御部５３、およびＩＲ制御部５３を制御するものである。通信サービスの処理は、利用者の指示を操作部１７から受け取ることにより、或いは相手先からの呼出しを通話制御部５０から受け取ることにより実行される。なお、本実施形態において、通信サービス処理部５１が行うＡＶコーデック制御部５２、表示制御部５３、およびＩＲ制御部５３の制御については後述する。
【０１０２】
ＡＶコーデック制御部５２は、通信サービス処理部５１が行う通信サービスに基づいて、ＡＶコーデック部１４を制御するものである。具体的には、通話サービスを行う場合には、ＡＶコーデック制御部５２の制御により、ＡＶコーデック部１４は、音声データのコーデック（符号化および復号化）処理のみを行う。また、ビデオ電話サービスを行う場合には、ＡＶコーデック制御部５２の制御により、ＡＶコーデック部１４は、映像データおよび音声データの符号化および多重化を行うとともに、ストリームデータの分離および復号化を行う。
【０１０３】
表示制御部５３は、通信サービス処理部５１が行う通信サービスに基づいて、映像表示部１２を制御するものである。例えば、相手先からの呼出しがあった場合には、表示制御部５３の制御により、相手先の電話番号、ビデオ電話の要求、電子メールの着信などを映像表示部１２の表示画面に表示して各種情報の報知を行う。
【０１０４】
本実施形態では、通信サービス処理部５１がビデオ電話サービスを実行する場合には、表示制御部５３の制御により、映像表示部１２は、映像入力部１０からの映像データに基づいて映像を表示する。これにより、映像表示部１２には自機の撮影映像が表示されることになる。
【０１０５】
ＩＲ制御部５３は、通信サービス処理部５１が行う通信サービスに基づいて、ＩＲ送信部２４を制御するものである。本実施形態では、通信サービス処理部５１がビデオ電話サービスを開始する場合には、ＩＲ制御部５３は、ＴＶ受像機３の映像入力をＴＶ入力から外部入力に切り替える制御信号をＩＲ送信部２４に送信する。また、通信サービス処理部５１がビデオ電話サービスを終了する場合には、ＩＲ制御部５３は、ＴＶ受像機３の映像入力を外部入力からＴＶ入力に切り替える制御信号をＩＲ送信部２４に送信する。
【０１０６】
上記構成のビデオ電話システム１において、相手先からビデオ電話が要求された場合に制御部１８が行う処理動作について、図４および図５に基づいて説明する。図４は、相手先からビデオ電話が要求された場合にビデオ電話を自動的に開始する処理動作を示している。
【０１０７】
まず、通話制御部５０が外部から発呼信号の着信を受け取るまで待機する（ステップＳ１０（以下「Ｓ１０」と略称することがある。他のステップについても同様である。））。上記着信を受け取ると、通信サービス処理部５１は、上記発呼信号がビデオ電話の要求に関するものか否かを判断し（Ｓ１１）、ビデオ電話の要求に関するものではない場合には（Ｓ１１でＮＯ）、その他の通信サービス処理を行う。なお、その他の通信サービス処理については従来と同様であるので、その説明を省略する。
【０１０８】
一方、ビデオ電話の要求に関するものである場合には（Ｓ１１でＹＥＳ）、ＡＶコーデック制御部５２は、上述のように、ビデオ電話のＡＶコーデック処理を行うようにＡＶコーデック部１４に指示する（Ｓ１２）。これにより、携帯電話機２にて入力された映像データおよび音声データが相手先に送信されるとともに、相手先からの映像データおよび音声データを取得することができる。
【０１０９】
次に、ＩＲ制御部５３は、ＴＶ受像機３に対しＴＶ入力から外部入力に切り替える制御信号を生成してＩＲ送信部２４に送信する（Ｓ１３）。このとき、上記制御信号は、ＩＲ送信部２４およびＩＲ受信部３７を介してＴＶ受像機３の制御部３８に送信されて、切替スイッチ３４がＴＶチューナ部３３の側から映像信号入力部３０および音声信号入力部３１の側に切り替る。
【０１１０】
これにより、携帯電話機２のＡＶコーデック部１４から出力される相手先からの映像データが、映像Ｉ／Ｆ部２０、映像信号出力部２１、映像ケーブル２５、映像信号入力部３０、および切替スイッチ３４を介して映像表示部３５に送信されるので、ＴＶ受像機３の表示画面に相手先からの映像が表示される。同様に、携帯電話機２のＡＶコーデック部１４から出力される相手先からの音声データが、音声Ｉ／Ｆ部２２、音声信号出力部２３、音声ケーブル２６、音声信号入力部３１、および切替スイッチ３４を介して音声出力部３６に送信されるので、相手先からの音声がＴＶ受像機３のスピーカから出力される。
【０１１１】
次に、表示制御部５３は、映像入力部１０からの映像を表示するように映像表示部１２に指示する（Ｓ１４）。これにより、携帯電話機２の表示画面に自機の撮影映像が表示されることになる。その後、ビデオ電話の開始処理が終了して、ビデオ電話が実行される。なお、ステップＳ１２〜Ｓ１４は、順番を入れ替えても良いし、同時に行っても良い。
【０１１２】
また、ＴＶ受像機３の電源がオフになっている場合も考えられるので、ステップＳ１３を行う前に、ＩＲ制御部５３は、ＴＶ受像機３に対し電源をオンにする制御信号を生成してＩＲ送信部２４に送信することが望ましい。この制御信号をＴＶ受像機３の制御部３８が受け取ると、制御部３８の制御により電源部３９が各部に電力を供給して、ＴＶ受像機３が稼働する。このとき、切替スイッチ３４が外部入力の側に既に切り替っている場合には、ステップＳ１３の処理動作を行う必要がない。
【０１１３】
図５は、ビデオ電話を終了する処理動作を示している。まず、通信サービス処理部５１は、操作部１７にて通話終了の操作が行われるか、或いは相手先（外部）から終話信号の着信があるまで待機する（Ｓ２０・Ｓ２１）。
【０１１４】
通話終了の操作または終話信号の着信があると、ＩＲ制御部５３は、ＴＶ受像機３に対し外部入力からＴＶ入力に切り替える制御信号を生成してＩＲ送信部２４に送信する（Ｓ２２）。このとき、上記制御信号は、ＩＲ送信部２４およびＩＲ受信部３７を介してＴＶ受像機３の制御部３８に送信されて、切替スイッチ３４が映像信号入力部３０および音声信号入力部３１の側からＴＶチューナ部３３の側に切り替る。これにより、ＴＶチューナ部３３からのＴＶ映像がＴＶ受像機３の表示画面に表示され、ＴＶチューナ部３３からのＴＶ音声がＴＶ受像機３のスピーカから出力される。
【０１１５】
そして、表示制御部５３が映像表示部１２に対し表示の中止を指示し（Ｓ２３）、ＡＶコーデック制御部５２がＡＶコーデック部１４に対しＡＶコーデック処理の中止を指示して（Ｓ２３）、ビデオ電話を終了する。なお、ステップＳ２２〜Ｓ２４の各処理は、順番を入れ替えても良いし、同時に行っても良い。
【０１１６】
また、ビデオ電話の終了後にＴＶ映像を利用者が見ない場合には、ステップＳ２２に代えて、ＩＲ制御部５３は、ＴＶ受像機３に対し電源をオフにする制御信号を生成してＩＲ送信部２４に送信しても良い。この制御信号をＴＶ受像機３の制御部３８が受け取ると、制御部３８の制御により電源部３９が各部への電力供給を中断して、ＴＶ受像機３が動作を停止する。
【０１１７】
また、ビデオ電話の終了時に、ＴＶ映像を利用者が見るか否かを問い合せる旨のダイアログをＴＶ受像機３または携帯電話機２の表示画面に表示させ、ＴＶ映像を見る場合には映像入力をＴＶ入力に切り替える制御信号を、ＴＶ映像を見ない場合には、電源をオフにする制御信号をそれぞれＩＲ送信部２４からＴＶ受像機３に送信しても良い。このように、利用者に何れかを選択できるようにすることにより、利用場面ごとに柔軟な対応が可能となり、ビデオ電話後に電源をオフしたい場合やオンしたままがいい場合のいずれにも対応することができる。
【０１１８】
以上のように、本実施形態のビデオ電話システム１は、相手映像をＴＶ受像機３に表示し、自機映像を携帯電話機２の映像表示部１２に表示するので、携帯電話機２の表示画面全体に自機映像を表示することができ、自機映像が見易くなる。
【０１１９】
また、携帯電話機２における表示画面の視認性向上のため、画面サイズひいては装置サイズをむやみに大きくしたり、高解像度の表示画面を採用する必要がなくなり、また携帯電話機２の製造原価をアップさせたり、大型化させたり、消費電力がアップするといった諸問題を解消することができる。
【０１２０】
さらに、相手画像として、相手の顔画像だけでなく、比較的細かな風景（時刻表、文章など）が被写体になる場合があり、大型画面へ出力することで、視認性が大幅に向上する効果も期待できる。
【０１２１】
また、携帯電話機２にビデオ電話要求の着信があると、ＴＶ受像機３の表示映像が相手映像に自動的に切り替るので、利用者がＴＶ受像機３に相手映像を表示するために何らかの操作を行う必要が無く、利用者の手間を省くことができる。
【０１２２】
なお、自機から相手先にビデオ電話要求を発信する場合には、上記処理動作のうち、ステップＳ１０・Ｓ１１を省略すれば良い。この場合、ビデオ電話要求の発信に応じてＴＶ受像機３の表示映像が相手映像に自動的に切り替るので、利用者がＴＶ受像機３に相手映像を表示するために何らかの操作を行う必要が無く、利用者の手間を省くことができる。
【０１２３】
また、ビデオ電話の終了時には、ＴＶ受像機３の表示映像がＴＶ映像に自動的に切り替るので、利用者がＴＶ受像機３にＴＶ映像を表示するために何らかの操作を行う必要が無く、利用者の手間を省くことができる。なお、上記と同様に、ビデオ電話終了時に元のＴＶ映像に切り替えるか否かを問い合せる旨のダイアログをＴＶ受像機３または携帯電話機２の表示画面に表示させて、利用者に何れかを選択するようにしても良い。
【０１２４】
〔実施の形態２〕
次に、本発明の別の実施形態について図６および図７に基づいて説明する。本実施形態のビデオ電話システムは、図１に示されるビデオ電話システム１に比べて、ビデオ電話の開始処理および終了処理が異なり、その他の構成および処理動作は同様である。なお、上記実施形態で説明した構成と同様の機能を有する構成には同一の符号を付して、その説明を省略する。
【０１２５】
図６は、相手先からビデオ電話が要求された場合にビデオ電話を開始する処理動作を示している。本実施形態におけるビデオ電話の開始処理は、図４に示されるビデオ電話の開始処理に比べて、ＩＲ制御部５３が制御信号を生成してＩＲ送信部２４に送信する処理を、利用者によるビデオ電話の開始操作に連動して行う点が異なり、その他の処理動作は同様である。なお、上記実施形態で説明した処理動作と同様の処理動作に関しては同一の符号を付してその説明を省略する。
【０１２６】
まず、ステップＳ１０・Ｓ１１が行われ、発呼信号がビデオ電話の要求に関するものである場合には（Ｓ１１でＹＥＳ）、表示制御部５３は、ビデオ電話の発呼信号を着信した旨を表示するように映像表示部１２に指示する（Ｓ３０）。これにより、利用者はビデオ電話の要求を知ることができる。
【０１２７】
次に、通信サービス処理部５１は、利用者が操作部１７にてビデオ電話の開始操作を行うまで待機する（Ｓ３１）。利用者がビデオ電話の開始操作を行うと、この開始操作に連動して、ＩＲ制御部５３は、ＴＶ受像機３に対しＴＶ入力から外部入力に切り替える制御信号を生成してＩＲ送信部２４に送信する（Ｓ３２）。次に、ステップＳ１２を行うことにより、相手先からの映像がＴＶ受像機３の表示画面に表示され、相手先からの音声がＴＶ受像機３のスピーカから出力される。
【０１２８】
そして、ステップＳ１４を行うことにより、携帯電話機２の表示画面に自機の撮影映像が表示される。その後、ビデオ電話の開始処理が終了して、ビデオ電話が実行される。なお、ステップＳ３０〜Ｓ３２とステップＳ１２とステップＳ１４とは、順番を入れ替えても良いし、同時に行っても良い。また、上記実施形態と同様に、ステップＳ３２を行う前に、或いはステップＳ３２に代えて、ＩＲ制御部５３は、ビデオ電話の開始操作に連動して、ＴＶ受像機３に対し電源をオンにする制御信号を生成してＩＲ送信部２４に送信することが望ましい。
【０１２９】
したがって、利用者が、ビデオ電話の要求を確認してビデオ電話の開始操作を行うときに、ＩＲ送信部２４をＴＶ受像機３のＩＲ受信部３７に向けて赤外線信号を送信することにより、ＴＶ受像機３をＴＶ入力から外部入力に確実に切り替えることができる。
【０１３０】
なお、自機から相手先にビデオ電話を要求する場合には、上記処理動作のうち、ステップＳ１０・Ｓ１１・Ｓ３０を省略すれば良い。
【０１３１】
図７は、ビデオ電話を終了する処理動作を示している。本実施形態におけるビデオ電話の終了処理は、図５に示されるビデオ電話の終了処理に比べて、ＩＲ制御部５３が制御信号を生成してＩＲ送信部２４に送信する処理を、利用者によるビデオ電話の終了操作に連動して行う点が異なり、その他の処理動作は同様である。なお、上記実施形態で説明した処理動作と同様の処理動作に関しては同一の符号を付してその説明を省略する。
【０１３２】
まず、通信サービス処理部５１は、利用者が操作部１７にて通話終了の操作を行うまで待機し（Ｓ４０）、待機中に外部から終話信号の着信があった場合には（Ｓ４１）、表示制御部５３は、終話信号を着信した旨を表示するように映像表示部１２に指示する（Ｓ４２）。これにより、利用者はビデオ電話の終了を知ることができる。
【０１３３】
通話終了の操作が行われると（Ｓ４０でＹＥＳ）、この操作に連動して、ＩＲ制御部５３は、ＴＶ受像機３に対し外部入力からＴＶ入力に切り替える制御信号を生成してＩＲ送信部２４に送信する（Ｓ４３）。これにより、ＴＶチューナ部３３からのＴＶ映像がＴＶ受像機３の表示画面に表示され、ＴＶチューナ部３３からのＴＶ音声がＴＶ受像機３のスピーカから出力される。
【０１３４】
そして、ステップＳ２２・Ｓ２３を行った後、ビデオ電話を終了する。なお、ステップＳ４３・Ｓ２３・Ｓ２４の各処理は、順番を入れ替えても良いし、同時に行っても良い。また、上記実施形態と同様に、ステップＳ４３に代えて、ＩＲ制御部５３は、通話終了の操作に連動して、ＴＶ受像機３に対し電源をオフにする制御信号を生成してＩＲ送信部２４に送信しても良い。
【０１３５】
したがって、利用者が、ビデオ電話の終了操作を行うときに、ＩＲ送信部２４をＴＶ受像機３のＩＲ受信部３７に向けて赤外線信号を送信することにより、ＴＶ受像機３を外部入力からＴＶ入力に確実に切り替えることができる。
【０１３６】
〔実施の形態３〕
次に、本発明のさらに別の実施形態について図８および図９に基づいて説明する。本実施形態のビデオ電話システムは、図１に示されるビデオ電話システム１に比べて、携帯電話機がＴＶ受像機との接続を検知すると、ＡＶコーデック部からの映像データおよび音声データの出力先を内部の映像表示部および音声出力部から外部に切り替える点が異なり、その他の構成および処理動作は同様である。なお、上記実施形態で説明した構成と同様の機能を有する構成には同一の符号を付して、その説明を省略する。
【０１３７】
図８は、本実施形態のビデオ電話システム１の概略構成を示している。本実施形態では、携帯電話機２の映像信号出力部２１および音声信号出力部２３がＴＶ受像機３との接続を検出して、検出信号を制御部１８に送信している。なお、ＴＶ受像機３との接続の検出は、携帯電話機２の映像信号出力部２１および音声信号出力部２３と、ＴＶ受像機３の映像信号入力部３０および音声信号入力部３１との間で、通信接続が確立することにより精度よく行っても良いし、映像信号出力部２１および音声信号出力部２３にケーブルが接続されたことを抵抗等の変化によって検出することにより簡易に行っても良い。
【０１３８】
また、本実施形態では、携帯電話機２は、ＡＶコーデック部１４からの映像データおよび音声データの出力先を映像表示部１２および音声出力部１３の側と、映像Ｉ／Ｆ部２０および音声Ｉ／Ｆ部２２の側とで切り替える切替スイッチ２５を新たに設けている。切替スイッチ２５における切替動作は、制御部１８からの指示に基づいて行われる。
【０１３９】
図９は、携帯電話機２における制御部１８の概略構成を示している。本実施形態の制御部１８は、図３に示される制御部１８に比べて、接続検知部（接続検知手段）５５および切替制御部（外部出力制御手段）５６を新たに備えている。
【０１４０】
接続検知部５５は、映像信号出力部２１および音声信号出力部２３からの検出信号を受信することにより、ＴＶ受像機３との接続を検知して、検知信号を通信サービス処理部５１に送信するものである。通信サービス処理部５１は、ビデオ電話サービスを行う場合に、接続検知部５５から受信した検知信号に基づいて、各ブロックに指示を行う。
【０１４１】
具体的には、ＴＶ受像機３と接続していない場合には、通信サービス処理部５１の指示により、切替制御部５６は、切替スイッチ２７が映像表示部１２および音声出力部１３の側に切り替えるように制御し、表示制御部５３は、映像表示部１２が自機の映像と相手先の映像とを合成して表示するように制御する。これにより、携帯電話機２を用いた通常のビデオ電話を行うことができる。また、通信サービス処理部５１からＩＲ制御部５４への指示は行わない。これにより、ＩＲ制御部５４が生成した制御信号を、ＩＲ送信部２４が赤外線で送信することがないので、誤動作を防止できる。
【０１４２】
一方、ＴＶ受像機３と接続している場合には、通信サービス処理部５１の指示により、切替制御部５６は、切替スイッチ２７が映像Ｉ／Ｆ部２０および音声Ｉ／Ｆ部２２の側に切り替えるように制御し、表示制御部５３は、映像表示部１２が自機の映像のみを表示するように制御し、ＩＲ制御部５４は、ＴＶ受像機３を制御する制御信号を生成してＩＲ送信部２４に送信する。これにより、上記と同様に相手先の映像および音声をＴＶ受像機３の表示画面に表示し、自機の映像を携帯電話機２の表示画面に表示することができる。
【０１４３】
したがって、本実施形態のビデオ電話システム１は、通常は、相手映像を携帯電話機２の表示画面に表示し、ＴＶ受像機３と接続した場合に相手映像をＴＶ受像機３の表示画面に表示できるので、利用者が相手映像をＴＶ受像機３に出力するための操作を行う必要が無く、利用者の手間を省くことができる。
【０１４４】
〔実施の形態４〕
次に、本発明のさらに別の実施形態について図１０に基づいて説明する。本実施形態のビデオ電話システムは、図１に示されるビデオ電話システム１に比べて、携帯電話機における映像入力部、音声入力部、および映像表示部の構成がより詳細に規定されている点が異なり、その他の構成および処理動作は同様である。なお、上記実施形態で説明した構成と同様の機能を有する構成には同一の符号を付して、その説明を省略する。
【０１４５】
本実施形態の携帯電話機２は、撮影デバイスであるカメラと、音声入力デバイスであるマイクと、表示デバイスであるディスプレイとが、操作ボタンが配備される側（以下、この側を「内側」と称する。）とその反対側（以下、この側を「外側」と称する。）との両方に設けられている。
【０１４６】
すなわち、映像入力部は、撮影を行う撮影手段としての内側カメラ６０および外側カメラ６２と、内側カメラ６０からの映像信号と外側カメラ６２からの映像信号とを切り替える切替スイッチ６４と、切替スイッチ６４からの映像信号を、携帯電話機２内部での処理に適した映像データに変換する映像処理部６６とを備える構成である。
【０１４７】
また、音声入力部は、音波を電気信号に変換するマイク手段としての内側マイク（マイクロホン）６１および外側マイク６３と、内側マイク６１からの音声信号と外側マイク６３からの音声信号とを切り替える切替スイッチ６５と、切替スイッチ６５からの音声信号を、携帯電話機２内部での処理に適した音声データに変換する音声処理部６７とを備える構成である。
【０１４８】
また、映像表示部は、映像処理部６６からの映像データ、および／または、ＡＶコーデック部１４からの映像データを、ディスプレイでの表示に適した映像信号に変換する表示処理部６８と、表示処理部６８からの映像信号の出力先を切り替える切替スイッチ６９と、切替スイッチ６９からの映像信号に基づいて映像を表示する表示出力手段としての内側ディスプレイ７０および外側ディスプレイ７１とを備える構成である。なお、切替スイッチ６４・６５・６８における切替動作は、制御部１８によって制御される。
【０１４９】
上記の構成によると、内側カメラ６０を利用する場合には内側マイク６１を利用し、外側カメラ６２を利用する場合には外側マイク６３を利用するように切替スイッチ６４・６５を制御することにより、撮影側に設けられたマイクを利用することができ、適当な音量の音声データを作成することができる。
【０１５０】
また、内側カメラ６０で撮影された自機映像を外側ディスプレイ７１に表示し、或いは外側カメラ６２で撮影された自機映像を内側ディスプレイ７０に表示することにより、撮影者は、自機映像を参照することができるので、的確に撮影を行うことができる。
【０１５１】
〔実施の形態５〕
次に、本発明の他の実施形態について図１１に基づいて説明する。本実施形態のビデオ電話システムは、図１０に示されるビデオ電話システム１に比べて、携帯電話機における映像表示部の構成が異なり、その他の構成および処理動作は同様である。なお、上記実施形態で説明した構成と同様の機能を有する構成には同一の符号を付して、その説明を省略する。
【０１５２】
本実施形態では、携帯電話機２の映像表示部は、内側のディスプレイに映像を表示する内側映像表示部７３と、外側のディスプレイに映像を表示する外側映像表示部７３とを備える構成である。また、本実施形態では、内側映像表示部７３および外側映像表示部７４の何れか一方に映像処理部６６からの映像データを送信し、他方にＡＶコーデック部１４からの映像データを送信する切替スイッチ７２をさらに備えている。切替えスイッチ７２における切替動作は、制御部１８によって制御される。
【０１５３】
上記の構成によると、撮影を行っているカメラと同じ側に設けられたディスプレイに、相手映像を表示し、該カメラと反対側に設けられたディスプレイに自機映像を表示することができる。この場合、被撮影者は、相手映像を見ることができるので、ビデオ電話を楽しむことができ、撮影者は、自機映像すなわち被撮影者の映像を見ることができるので、被撮影者を的確に撮影することができる
なお、この場合、自機映像はファインダ映像として利用できればよいので、内側および外側のディスプレイのうち、表示サイズが大きいディスプレイに相手映像を表示し、表示サイズの小さいディスプレイに自機映像を表示することが望ましい。
【０１５４】
また、本実施形態の場合には、携帯電話機２に相手映像と自機映像とを表示するので、ＴＶ受像機３と接続しなくても良い。この場合、映像Ｉ／Ｆ部２０、映像信号出力部２１、音声Ｉ／Ｆ部２２、および音声信号出力部２３を省略することができる。
【０１５５】
なお、本発明は上記の実施形態に限定されるものではなく、請求項に示した範囲で種々の変更が可能である。
【０１５６】
例えば、上記実施形態では、ＴＶ受像機３が相手先の映像を表示するとともに相手先の音声を出力しているが、携帯電話機２の音声出力部１３が相手先の音声を出力することもできるので、ＴＶ受像機３からは相手先の音声を出力しなくても良い。この場合、携帯電話機２の構成から音声Ｉ／Ｆ部２２および音声信号出力部２３を省略することができる。
【０１５７】
また、近日中にデジタル地上波放送が開始されることから、ＡＶコーデック部１４から出力される映像データ（デジタルＲＧＢデータ）や音声データ（ＰＣＭデータ）がそのまま入力可能なＴＶ受像機が近い将来普及する可能性がある。このようなＴＶ受像機を利用する場合には、携帯電話機２の構成から映像Ｉ／Ｆ部２０および音声Ｉ／Ｆ部２２を省略することができる。
【０１５８】
また、映像Ｉ／Ｆ部２０、映像信号出力部２１、音声Ｉ／Ｆ部２２、および音声信号出力部２３の各構成は、例えば携帯電話機２を収容するクレードルなど、携帯電話機２の外部の装置に設けることもできる。この場合、携帯電話機２は、映像データおよび音声データを出力する出力端子を備えるのみで良く、携帯電話機２の装置規模が大きくなることを防止する。また、外部の装置にＩＲ送信部を設けておき、該ＩＲ送信部が赤外線をＴＶ受像機３のＩＲ受信部３７に向けて出射するように外部の装置を固定すれば、赤外線による遠隔操作を確実に行うことができる。
【０１５９】
さらに、上記実施形態では、主に、相手先の携帯電話機からビデオ電話要求が着信した場合を説明したが、自機からビデオ電話要求を発信した場合に適宜応用できることは勿論である。
【０１６０】
またさらに、ＴＶ受像機３の表示内容、内側ディスプレイ７０の表示内容、および外側ディスプレイ７１の表示内容をそれぞれ切替え可能な切替手段を備えるようにしても良い。具体的な一例を挙げると、ビデオ電話中に、携帯電話機２の所定キーを押下する毎に、各表示画面の表示内容がそれぞれ切り替わるようにすれば良い。
【０１６１】
また、携帯電話機２の各ブロック、制御部１８は、ハードウェアロジックによって構成してもよいし、次のようにＣＰＵを用いてソフトウェアによって実現してもよい。
【０１６２】
すなわち、携帯電話機２は、各機能を実現する制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機２の制御プログラムのプログラムコード（実行形式プログラム、中間コードプログラム、ソースプログラム）をコンピュータで読み取り可能に記録した記録媒体を、上記携帯電話機２に供給し、そのコンピュータ（またはＣＰＵやＭＰＵ）が記録媒体に記録されているプログラムコードを読み出し実行することによっても、達成可能である。
【０１６３】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６４】
また、携帯電話機２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【０１６５】
以上のように、本発明のビデオ電話機能付携帯電話機は、ビデオ電話において相手映像を外部の表示装置に表示することを特徴としている。しかしながら、本発明は、ビデオ電話機能付携帯電話機に限らず、例えば、画像を添付した電子メールを受信したときに、添付された画像を外部の表示装置に表示する携帯電話機にも適用することができる。
【図面の簡単な説明】
【０１６６】
【図１】本発明の一実施形態であるビデオ電話システムの概略構成を示すブロック図である。
【図２】上記ビデオ電話システムの携帯電話機におけるＡＶコーデック部の概略構成を示すブロック図である。
【図３】上記携帯電話機における制御部の概略構成を示すブロック図である。
【図４】上記制御部にて実行されるビデオ電話の開始処理の流れを示すフローチャートである。
【図５】上記制御部にて実行されるビデオ電話の終了処理の流れを示すフローチャートである。
【図６】本発明の別の実施形態であるビデオ電話システムにおいて、携帯電話機の制御部にて実行されるビデオ電話の開始処理の流れを示すフローチャートである。
【図７】上記制御部にて実行されるビデオ電話の終了処理の流れを示すフローチャートである。
【図８】本発明のさらに別の実施形態であるビデオ電話システムの概略構成を示すブロック図である。
【図９】上記ビデオ電話システムにおける携帯電話機の制御部の概略構成を示すブロック図である。
【図１０】本発明のさらに別の実施形態であるビデオ電話システムの概略構成を示すブロック図である。
【図１１】本発明の他の実施形態であるビデオ電話システムの概略構成を示すブロック図である。
【符号の説明】
【０１６７】
１    ビデオ電話システム
２    ビデオ電話機能付携帯電話機
３    ＴＶ受像機（出力先の表示装置）
１０    映像入力部（映像入力手段）
１１    音声入力部（音声入力手段）
１２    映像表示部（映像表示手段）
１３    音声出力部（音声出力手段）
１４    ＡＶコーデック部（ＡＶコーデック手段）
１５    無線処理部（無線通信手段）
１６    アンテナ（無線通信手段）
１７    操作部（操作手段）
２０    映像Ｉ／Ｆ部（外部出力手段）
２１    映像信号出力部（外部出力手段）
２２    音声Ｉ／Ｆ部（外部出力手段）
２３    音声信号出力部（外部出力手段）
２４    ＩＲ送信部（赤外線送信手段）
５３    表示制御部（映像選択手段、表示制御手段）
５４    ＩＲ制御部（赤外線送信制御手段）
５５    接続検知部（接続検知手段）
５６    切替制御部（外部出力制御手段）
６０・６２    カメラ（撮影手段）
６１・６３    マイク（マイク手段）
７０・７１    ディスプレイ（表示出力手段）
【図１】
2005151450.tif 000003
【図２】
2005151450.tif 000004
【図３】
2005151450.tif 000005
【図４】
2005151450.tif 000006
【図５】
2005151450.tif 000007
【図６】
2005151450.tif 000008
【図７】
2005151450.tif 000009
【図８】
2005151450.tif 000010
【図９】
2005151450.tif 000011
【図１０】
2005151450.tif 000012
【図１１】
2005151450.tif 000013